(57)【要約】【課題】従来のゴルフクラブヘッドを強度や使用寿命に悪影響を与えずに、そのクラウン部の厚さ調整を通して重心を従来よりもっと大いに下げることをその目的とする。【解決手段】そのクラウン部の位置が開いている中空状のヘッド本体と、前記クラウン部として、前記中空状のヘッド本体を閉鎖している、内張りのついた厚さ０.１〜０.５mmの薄板と、からなっているゴルフクラブヘッドが挙げられる。特に、一体鋳造法を使用しようとしない場合の構成例として、前記中空状のヘッド本体は、そのクラウン部の位置が開口となっている上、該開口はその周縁の前記ヘッド本体から突出して環状の窪みとなった止め板に囲まれており、また、前記薄板は、前記ヘッド本体の窪みに埋まれて前記止め板に保持されているものが挙げられる。【選択図】図１
2008228775.tif 000002
【特許請求の範囲】
【請求項１】
その中空状のヘッド本体の少なくとも一部が内張りのついた厚さ０.１〜０.５mmの薄いものになっているゴルフクラブヘッド。
【請求項２】
そのクラウン部の少なくとも一部が開口となっている中空状のヘッド本体と、
前記クラウン部の少なくとも一部として、前記開口を閉鎖している、内張りのついた厚さ０.１〜０.５mmの薄板と、
からなっているゴルフクラブヘッド。
【請求項３】
前記薄板は、チタン合金、アルミ合金、マグネシウム合金及びステンレス鋼の群より選ばれた金属材からなったものである、請求項１または２に記載のゴルフクラブヘッド。
【請求項４】
前記内張りは、炭素繊維強化樹脂、ガラス繊維強化樹脂、ホウ素繊維強化樹脂、短繊維強化熱可塑性複合材、チタン繊維強化樹脂及びチタン網強化樹脂の群より選ばれた、比重２.８未満の軽量複合材からなったものである、請求項３に記載のゴルフクラブヘッド。
【請求項５】
前記開口は、その周りの前記クラウン部から窪んで環状の窪みとなった止め板に囲まれており、
また、前記薄板は、前記窪みに埋まれて前記止め板に保持されている、請求項２に記載のゴルフクラブヘッド。
【請求項６】
前記内張りは、前記薄板の内面の、前記止め板に当たっている部分以外についている、請求項５に記載のゴルフクラブヘッド。
【請求項７】
前記内張りは、前記止め板に当たっている部分以外の全面についている、請求項５に記載のゴルフクラブヘッド。
【請求項８】
前記内張りは複数あって、それぞれ前記薄板の内面の、前記止め板に当たっている部分以外についている、請求項５に記載のゴルフクラブヘッド。
【請求項９】
前記内張りには補強リブが形成してある、請求項５に記載のゴルフクラブヘッド。
【請求項１０】
前記環状の窪みとなった止め板の外面には、一対の、互いに対称している凹陥部がある上、これらの凹陥部には、それぞれ他の凹陥部のと一筋の直線上にあるスリットが開けられており、
また、前記内張りは、
その両端部がそれぞれ前記一対の凹陥部の一つに嵌め込むように該一対の凹陥部の間に延在している長条板部と、
前記長条板部の内面から下へ突出し且つその両端部がそれぞれ前記一対の凹陥部のスリットを貫通するように、前記一対の凹陥部の間に延在している補強リブと、
からなっている、請求項５に記載のゴルフクラブヘッド。
【発明の詳細な説明】
【技術分野】
【０００１】
本発明は、ゴルフクラブヘッドに関し、特に低重心化になるゴルフクラブヘッドに関する。
【背景技術】
【０００２】
従来、比較的高い重心を持つゴルフクラブヘッドが使用されれば、打ち出し角及び打たれたゴルフボールの飛翔軌道に悪影響を与える。したがって、多くのクラブヘッドは、その全体の重心を下げるために、クラウン部をなるべく薄くさせてなる。
【０００３】
しかしながら、クラウン部を薄くさせる方法として、クラブヘッドの他の部分と共に形成する一体鋳造法を使用すれば、多くとも０.６mmまで厚さを下げるので、重心高さが１８mm以上持ち、やはり理想にならない。もちろん、一体鋳造法をした後、更に研磨加工を加え、または一体鋳造法を使用せずに、始めからクラウン部またはその一部として他により薄い金属板を使用することもできるが、研磨法は面倒臭い上、厚さの均一性についてもよく保証できず、それに、厚さが０.５５mmまでにも薄過ぎると、クラウン部が変形しやすいので、クラブヘッド全体の強度や使用寿命に悪影響を与える、という欠点が出てくる。
【発明の開示】
【発明が解決しようとする課題】
【０００４】
本発明は前記のような事情に鑑みてなされたものである。
【０００５】
即ち、本発明は、従来のゴルフクラブヘッドを強度や使用寿命に悪影響を与えずに、そのクラウン部の厚さ調整を通して重心を従来よりもっと大いに下げることをその目的とする。
【課題を解決するための手段】
【０００６】
前記目的を達成するために、本発明は、その中空状のヘッド本体の少なくとも一部が内張りのついた厚さ０.１〜０.５mmの薄いものになっているゴルフクラブヘッドを提供する。
【０００７】
前記発明の実施形態として、そのクラウン部の少なくとも一部が開口となっている中空状のヘッド本体と、前記クラウン部の少なくとも一部として、前記開口を閉鎖している、内張りのついた厚さ０.１〜０.５mmの薄板と、からなっているゴルフクラブヘッドが挙げられる。
【０００８】
即ち、本発明のゴルフクラブヘッドは、そのクラウン部の少なくとも一部が内張りのついた、従来より薄いものになり、特に、一体鋳造法を使用しようとしない場合、始めからクラウン部またはその一部として他に従来より薄い板を使用する上、該薄い板の内面に内張りを施せば良い。
【０００９】
前記一体鋳造法を使用しない実施形態の構成例として、前記開口は、その周りの前記クラウン部から窪んで環状の窪みとなった止め板に囲まれており、また、前記薄板は、前記ヘッド本体の窪みに埋まれて前記止め板に保持されているものが挙げられる。
【００１０】
また、前記内張りも色々な変形が採用され得る。例えば、前記薄板の内面の一部または全部についたり、単一または複数になったり、または補強のために、リブや他の補強構造が形成されているものが挙げられる。
【発明の効果】
【００１１】
前記構成によるゴルフクラブヘッドは、まずそのクラウン部またはその一部が内張りを施したものからなるので、強度、使用寿命の問題にかからなくてそれ自体の厚さが従来より遥かに薄い０.１〜０.５mmまでに押さえられ得る。また、前記厚さが０.１〜０.５mmになるので、重心高さが８〜１８mmまでに下げられ得る。
【００１２】
そして、前記内張りで前記厚さにおける均一性を調整することができるので、やはり一体鋳造法プラス研磨法との製造方法を使用することができるが、この製造方法を使用せずに、クラウン部またはその一部として他に内張りを施した薄板を使用する場合、始めから厚さの均一性問題がないので、研磨法を省いて製造コストを大いに下げることができる。
【発明を実施するための最良の形態】
【００１３】
以下、本発明に関するゴルフクラブヘッドの好適な実施形態を、図面を参照しながら説明する。なお、図中、似ている部分には、同一の参照符号を付する。
【００１４】
まず、図１、図２及び図３を参照しながら本発明の第１の実施形態例のゴルフクラブヘッドを説明する。
【００１５】
ゴルフクラブヘッドは、大別してクラウン部、ソール部、フェース部、及びサイド部に分けられるが、本発明は、クラウン部、特にその、内張りのついた薄い部分を中心とするものであるので、他の部分を合わせてヘッド本体と称する。なお、以下の説明では、ウッド型のヘッドが例示されている。
【００１６】
図１に示すように、本実施形態例のゴルフクラブヘッドは、そのクラウン部２の周縁部以外の部分が開口１１となり、周縁部１０が中空状のヘッド本体１の一部となっている。また、クラウン部２の周縁部以外の部分、即ちクラウン部２の開口１１を閉鎖している部分は、内張り２２のついた厚さ０.１〜０.５mmの薄板２１からなっている。
【００１７】
そして、開口１１は、その周りのクラウン部２（即ち周縁部１０）から窪んで環状の窪みとなった止め板１２に囲まれている。また、薄板２１は、ヘッド本体１の窪みに埋まれて止め板１２に保持されている。
【００１８】
なお、この例１では、内張り２２は、薄板２１の内面の、止め板１２に当たっている部分以外の全面についている。
【００１９】
また、この実施形態例では、薄板２１は、チタン合金からなったものであるが、他の例えばアルミ合金、マグネシウム合金及びステンレス鋼など強靭度の高い金属材からなったものを使用しても良い。
【００２０】
また、内張り２２は、炭素繊維強化樹脂からなったものであるが、他の例えばガラス繊維強化樹脂、ホウ素繊維強化樹脂、短繊維強化熱可塑性複合材、チタン繊維強化樹脂及びチタン網強化樹脂など比重２.８未満の軽量強化複合材からなったものを使用しても良い。
【００２１】
この実施形態例のゴルフクラブヘッドは、そのクラウン部２の大部分が薄いものになっているので、重心高さが従来より遥かに低い８〜１８mmになっており、なお、該薄い部分に内張り２２が施されたので、強靭性が高くて使用時の変形や使用寿命の問題にかからない。
【００２２】
また、図４〜図７を参照しながら本発明の第２の実施形態例のゴルフクラブヘッドを説明する。
【００２３】
図４及び図５に示すように、本実施形態例のゴルフクラブヘッドは、薄板２１の内面の、止め板１２に当たっている部分以外の全面についている内張り２２のほぼ中央部分に一つの補強リブ２２１が形成してあるものであるが、この補強リブ２２１は色々な変形が採用され得る。例えば、図６及び図７に示すのは、その変形例であって、その内張り２２には三つの補強リブ２２１Ａ、２２１、２２１Ａが並んでいる。
【００２４】
本実施形態例のゴルフクラブヘッドの他の構造は、前記実施例１のと同じなので、ここでその説明を省く。
【００２５】
そして、図８〜図１１を参照しながら本発明の第３の実施形態例のゴルフクラブヘッドを説明する。
【００２６】
図８及び図９に示すように、本実施形態例のゴルフクラブヘッドは、その内張りが前記実施形態例１及び２と同じように止め板１２に当たっている部分以外についているが、二つに分けられている。即ち、その内張りは、隙間を空けたもの２２Ａ、２２Ｂからなっており、止め板１２に当たっている部分以外の全面についているものではない。
【００２７】
また、その変形例として、図１０及び図１１に示すように、前記内張りは三つ２２Ｃ、２２Ｄ、２２Ｅに分けられても良い。
【００２８】
本実施形態例のゴルフクラブヘッドの他の構造は、前記実施例１のと同じなので、ここでその説明を省く。
【００２９】
そして、図１２〜図１９を参照しながら本発明の第４の実施形態例のゴルフクラブヘッドを説明する。
【００３０】
本実施形態例のゴルフクラブヘッドは、前記第３の実施形態例と同じく内張りが複数になって、それぞれ薄板２１の内面の、止め板１２に当たっている部分以外についているが、各内張りには、補強リブが形成してある。
【００３１】
図１２及び図１３に示すのは、その応用例１であって、内張りが二つ２２Ａ、２２Ｂになっており、各内張りの中央部には、それぞれ補強リブ２２１Ｂ、２２１Ｃが形成してある。
【００３２】
図１４及び図１５に示すのは、その応用例２であって、内張りが二つ２２Ａ、２２Ｂになっており、該二つの内張りの隣り合っている端縁には、それぞれ補強リブ２２１Ｄ、２２１Ｅが形成してある。
【００３３】
図１６及び図１７に示すのは、その応用例３であって、内張りが三つ２２Ｃ、２２Ｄ、２２Ｅになっており、それぞれ補強リブ２２１Ｆ、２２１Ｇ、２２１Ｈが形成してあるが、補強リブ２２１Ｆは内張り２２Ｄのほぼ中央部に、補強リブ２２１Ｇ、２２１Ｈは内張り２２Ｃと内張り２２Ｅとの、内張り２２Ｄを挟んでいる端縁に形成してある。
【００３４】
図１８及び図１９に示すのは、その応用例４であって、応用例３と同じように内張りが三つ２２Ｃ、２２Ｄ、２２Ｅになっているが、中央にある内張り２２Ｄはその両端縁にも補強リブ２２１Ｊ、２２１Ｋが形成されている。
【００３５】
本実施形態例のゴルフクラブヘッドの他の構造は、前記実施例１のと同じなので、ここでその説明を省く。
【００３６】
さらに、図２０及び図２１を参照しながら本発明の第５の実施形態例のゴルフクラブヘッドを説明する。
【００３７】
まず、図２０をみてみると、この実施形態例のゴルフクラブヘッドは、内張りが一つ２２Ｆだけからなっている。もっと詳しくみると、その環状の窪みとなった止め板１２の外面には、一対の、互いに対称している凹陥部１２１、１２１がある上、これらの凹陥部１２１には、それぞれ他の凹陥部１２１のと一筋の直線上にあるスリット１２２、１２２が開けられている。また、内張り２２Ｆは、その両端部２２２Ａ、２２２Ｂがそれぞれ一対の凹陥部１２１、１２１の一つに嵌め込むように該一対の凹陥部１２１、１２１の間に延在している長条板部２２２と、長条板部２２２の内面から下へ突出し且つその両端部２２３Ａ、２２３Ｂがそれぞれ一対の凹陥部のスリット１２１、１２１を貫通するように、一対の凹陥部１２１、１２１の間に延在している補強リブ２２３と、からなっている。
【００３８】
本発明は、その精神及び必須の特徴事項から逸脱することなく他のやり方で実施することができる。従って、本明細書に記載した好ましい実施例は例示的なものであり、限定的なものではない。
【産業上の利用可能性】
【００３９】
如上のように、本発明のゴルフクラブヘッドは、そのクラウン部の少なくとも一部が内張りを施したものになっているので、前記少なくとも一部が薄くなっても、該内張りにより強靭性が維持されうる。
【００４０】
そして、本発明のゴルフクラブヘッドは、そのクラウン部の少なくとも一部が薄いものになっているので、その重心高さが従来より低くなっている。
【００４１】
そしてまた、本発明のゴルフクラブヘッドは、前記クラウン部の少なくとも一部として、一体鋳造法を使用せずに、他に内張りを施した薄板を使用する場合、始めから従来の厚さの均一性問題がないので、研磨法を省いて製造コストを大いに下げることができる。
【図面の簡単な説明】
【００４２】
【図１】本発明のゴルフクラブヘッドの第１の実施形態例の分解斜視図である。
【図２】本発明のゴルフクラブヘッドの第１の実施形態例の一部断面図である。
【図３】図２の実施形態例の上面図である。
【図４】本発明のゴルフクラブヘッドの第２の実施形態例の一部断面図である。
【図５】図４の実施形態例の上面図である。
【図６】本発明のゴルフクラブヘッドの第２の実施形態例の変形例の一部断面図である。
【図７】図６の変形例の上面図である。
【図８】本発明のゴルフクラブヘッドの第３の実施形態例の一部断面図である。
【図９】図８の実施形態例の上面図である。
【図１０】本発明のゴルフクラブヘッドの第３の実施形態例の変形例の一部断面図である。
【図１１】図１０の変形例の上面図である。
【図１２】本発明のゴルフクラブヘッドの第４の実施形態例の応用例１の一部断面図である。
【図１３】図１２の応用例の上面図である。
【図１４】本発明のゴルフクラブヘッドの第４の実施形態例の応用例２の一部断面図である。
【図１５】図１４の応用例の上面図である。
【図１６】本発明のゴルフクラブヘッドの第４の実施形態例の応用例３の一部断面図である。
【図１７】図１６の応用例の上面図である。
【図１８】本発明のゴルフクラブヘッドの第４の実施形態例の応用例４の一部断面図である。
【図１９】図１８の応用例の上面図である。
【図２０】本発明のゴルフクラブヘッドの第５の実施形態例の分解斜視図である。
【図２１】本発明のゴルフクラブヘッドの一部断面図である。
【符号の説明】
【００４３】
１  中空状のヘッド本体
１０  周縁部
１１  開口
１２  止め板
１２１  凹陥部
１２２  スリット
２  クラウン部
２１  薄板
２２、２２Ａ、２２Ｂ、２２Ｃ、２２Ｄ、２２Ｅ  内張り
２２１  補強リブ
２２１Ａ、２２１Ｂ、２２１Ｃ、２２１Ｄ、２２１Ｅ、２２１Ｆ、２２１Ｇ、２２１Ｈ、２２１Ｊ、２２１Ｋ  補強リブ
２２２  長条板部
２２２Ａ、２２２Ｂ  長条板部の両端部
２２３  補強リブ
２２３Ａ、２２３Ｂ  補強リブの両端部
２２Ｆ  内張り
【図１】
2008228775.tif 000003
【図２】
2008228775.tif 000004
【図３】
2008228775.tif 000005
【図４】
2008228775.tif 000006
【図５】
2008228775.tif 000007
【図６】
2008228775.tif 000008
【図７】
2008228775.tif 000009
【図８】
2008228775.tif 000010
【図９】
2008228775.tif 000011
【図１０】
2008228775.tif 000012
【図１１】
2008228775.tif 000013
【図１２】
2008228775.tif 000014
【図１３】
2008228775.tif 000015
【図１４】
2008228775.tif 000016
【図１５】
2008228775.tif 000017
【図１６】
2008228775.tif 000018
【図１７】
2008228775.tif 000019
【図１８】
2008228775.tif 000020
【図１９】
2008228775.tif 000021
【図２０】
2008228775.tif 000022
【図２１】
2008228775.tif 000023